(57)【要約】【課題】障子よりも室内側に配置される網戸を備える建具において、障子の位置に関係なく、障子と網戸の間の隙間を塞ぐことができる構成を提供すること。【解決手段】建具１は、内障子２０の室内側でスライド可能に配置される網戸５０と、網戸５０と内障子２０の間に配置され、内障子２０の室内側見付面２６ａに向かって延出し、該内障子２０に当接して網戸５０と内障子２０の隙間を塞ぐモヘア（室外側当接部）９０）を有する閉塞部材８０と、網戸５０が有する網戸縦框５３，５４又は閉塞部材８０に配置され、閉塞部材８０と網戸縦框５３（又は網戸縦框５４）が見込方向で対向する状態で、網戸縦框５３（又は網戸縦框５４）と閉塞部材８０の隙間を塞ぐモヘア５３１（又はモヘア５３２）と、を備える。【選択図】図４
2019167801.tif 000002
【特許請求の範囲】
【請求項１】
枠体と前記枠体に対してスライド可能な障子を備える建具において、
前記障子の室内側でスライド可能に配置される網戸と、
前記網戸と前記障子の間に配置され、前記障子の室内側の見付面に向かって延出し、該障子に当接して前記網戸と前記障子の隙間を塞ぐ室外側当接部を有する閉塞部材と、
前記網戸が有する網戸縦框又は前記閉塞部材に配置され、前記閉塞部材と前記網戸縦框が見込方向で対向する状態で、前記網戸縦框と前記閉塞部材の隙間を塞ぐ室内側当接部と、を備える建具。
【請求項２】
前記障子は、面材及び前記面材の四周を囲む横框及び縦框を有し、
前記閉塞部材は、前記障子が閉鎖位置にある状態で、戸先側の反対側に位置する前記縦框の少なくとも一部を収容する収容部を有する請求項１に記載の建具。
【請求項３】
前記室内側当接部は、前記網戸縦框に固定され、
前記閉塞部材は、前記室内側当接部の先端が接触可能な室内側見付面を有する請求項１又は２に記載の建具。
【発明の詳細な説明】
【技術分野】
【０００１】
本発明は、スライド可能な障子を備える建具に関する。
【背景技術】
【０００２】
従来、引戸や引違い窓等のスライド可能な障子を備える建具において、障子の室内側に網戸を設けた構造が知られている。この種の技術を開示するものとして例えば特許文献１がある。特許文献１には、引違い窓において、室内側に配置される網戸の框に気密材を配置し、網戸を閉じて外障子を開いた状態で該気密材が内障子の召合框と接触することにより、虫の侵入を防止しつつ網戸によって風を取り入れる構造が記載されている。
【先行技術文献】
【特許文献】
【０００３】
【特許文献１】実開昭６１−１１８７３号公報
【発明の概要】
【発明が解決しようとする課題】
【０００４】
ところで、ビルの高層階等では、強度を高めるために室内側の障子の框の見込方向の長さを大きく確保しなければならない場合がある。この構成では、框に干渉しない位置に網戸を取り付ける必要があるため、室内側の障子のガラス（面材）と網戸の見込方向の間隔が大きなものになる。従来技術のように、網戸の気密材が室内側の障子の框に当接するようにしても、網戸の気密材と障子の框が見込方向で対向しない位置にずれると気密材が障子と接触しない状態になってしまい、虫等の室内側への侵入を許すことになってしまう。
【０００５】
本発明は、障子よりも室内側に配置される網戸を備える建具において、障子の位置に関係なく、障子と網戸の間の隙間を塞ぐことができる構成を提供することを目的とする。
【課題を解決するための手段】
【０００６】
本発明は、枠体（例えば、後述の枠体１０）と前記枠体に対してスライド可能な障子（例えば、後述の内障子２０）を備える建具（例えば、後述の建具１）において、前記障子の室内側でスライド可能に配置される網戸（例えば、後述の網戸５０）と、前記網戸と前記障子の間に配置され、前記障子の室内側の見付面（例えば、後述の室内側見付面２６ａ）に向かって延出し、該障子に当接して前記網戸と前記障子の隙間を塞ぐ室外側当接部（例えば、後述のモヘア９０）を有する閉塞部材（例えば、後述の閉塞部材８０）と、前記網戸が有する網戸縦框（網戸縦框５３，５４）又は前記閉塞部材に配置され、前記閉塞部材と前記網戸縦框が見込方向で対向する状態で、前記網戸縦框と前記閉塞部材の隙間を塞ぐ室内側当接部（例えば、後述のモヘア５３１，５３２）と、を備える建具に関する。
【０００７】
前記障子は、面材及び前記面材の四周を囲む横框（例えば、後述の上框２１、下框２２）及び縦框（召内框２３、戸先框２４）を有し、前記閉塞部材は、前記障子が閉鎖位置にある状態で、戸先側の反対側に位置する前記縦框（例えば、後述の召内框２３）の少なくとも一部を収容する収容部を有することが好ましい。
【０００８】
前記室内側当接部（例えば、後述のモヘア５３１，５３２）は、前記網戸縦框に固定され、前記閉塞部材は、前記室内側当接部の先端が接触可能な室内側見付面（例えば、後述の室内側見付面８２ａ）を有することが好ましい。
【発明の効果】
【０００９】
本発明の建具によれば、障子の位置に関係なく、障子と網戸の間の隙間を塞ぐことができる。
【図面の簡単な説明】
【００１０】
【図１】本発明の一実施形態に係る建具の縦断面図である。
【図２】本実施形態の建具の横断面図である。
【図３】本実施形態の建具が備える閉塞部材の拡大横断面図である。
【図４】本実施形態の建具の内障子が開いている状態を示す横断面図である。
【図５】本実施形態の建具の内障子が開状態と閉状態の間の中間状態を示す横断面図である。
【図６】本実施形態の建具の外障子が開いている状態を示す横断面図である。
【発明を実施するための形態】
【００１１】
以下、本発明の好ましい実施形態について、図面を参照しながら説明する。なお、本明細書において、「見付方向」とは、建物に形成された開口部に納められた建具における障子の面方向を意味し、「見込方向」とは、上記障子の厚み方向を意味する。
【００１２】
図１は、本実施形態の建具１の縦断面図である。図２は本実施形態の建具１の横断面図である。図１及び図２に示すように、本実施形態の建具１は、建物の開口部に固定される枠体１０と、枠体１０の内側で摺動可能に配置される内障子２０及び外障子４０と、内障子２０の更に室内側で摺動可能に配置される網戸５０と、網戸５０と内障子２０の間を塞ぐ閉塞部材８０と、を主要な構成として備える高層階用のテラス窓（引き違い窓）である。
【００１３】
枠体１０は、上枠１１、下枠１２及び左右の縦枠１３，１４が略矩形に枠組みされて構成されており、建物の躯体に固定される。上枠１１、下枠１２及び左右の縦枠１３，１４は、アルミの押出し成形品であり、金属製である。
【００１４】
上枠１１の下面には、内障子２０の上部が係合する室内側上レール１１１と、外障子４０の上部が係合する室外側上レール１１２と、が形成される。室内側上レール１１１と室外側上レール１１２は、見込方向で対向している。
【００１５】
下枠１２の上面には、内障子２０の下部が係合する室内側下レール１２１と、外障子４０の上部が係合する室外側下レール１２２と、が形成される。室内側下レール１２１と室外側下レール１２２は、見込方向で対向している。下枠１２の室外側壁部１２０の上部には、内障子２０下部の室内側の見付面に当接する気密材１２５が配置される。また、下枠１２は、室内側下レール１２１の見付面から見込方向室外側に延出する延出部１２６を有し、この延出部１２６の先端には外障子４０下部の室内側の見付面に当接する気密材１２７が配置される。
【００１６】
縦枠１３において、閉鎖位置の内障子２０に対向する部位には外障子４０の室内側の見付面に接触する気密材１３１が配置される。また、縦枠１３の内側の見込面の近傍には内障子２０に対向する衝突防止部材１３５が配置される。同様に、縦枠１４において、閉鎖位置の内障子２０に対向する部位には内障子２０の室内側の見付面に接触する気密材１４１が配置される。また、縦枠１４の内側の見込面の近傍には内障子２０に対向する衝突防止部材１３６が配置される。
【００１７】
内障子２０及び外障子４０は、何れも引き戸であり、これらを左右方向（見付方向）にスライドさせることで、開口部が閉鎖又は開放される。図１〜３では、内障子２０及び外障子４０の両方が閉鎖位置にある状態が示されている。
【００１８】
内障子２０について説明する。内障子２０は、上框２１、下框２２及び左右の縦框である召内框２３，戸先框２４により矩形に枠組みされた框体２５と、框体２５内に嵌め込まれて固定された面材としての複層ガラス２６と、を含んで構成される。
【００１９】
上框２１は、複層ガラス２６の端部を挟み込むガラス溝を形成するガラス溝部２１０と、室内側上レール１１１に係合する係合部２１１と、を備える。下框２２は、複層ガラス２６の端部を挟み込むガラス溝を形成するガラス溝部２２０と、室内側下レール１２１に係合する戸車２２２を保持する戸車保持部２２１と、を備える。
【００２０】
召内框２３は、複層ガラス２６の端部を挟み込むガラス溝を形成するガラス溝部２３０と、ガラス溝部２３０から見込方向室内側に延出する室内部２３１と、室内部２３１の見込方向室外側に位置する室外部２３２と、を備える。
【００２１】
召内框２３の室内部２３１は、見込方向室外側に大きく突出している。本実施形態では、召内框２３(室内部２３１)の室内側の見付面の位置が、戸先框２４の室内側の見付面の位置よりも室外側に突出しており、その突出量は複層ガラス２６の厚みよりも大きなものになっている。
【００２２】
室外部２３２の室外側の見付面には、召内側煙返し部２３３及び気密材２３４が配置される。気密材２３４は、閉鎖位置の外障子４０（後述の召外框４３）の室内側の見付面に当接する。本実施形態の室内部２３１の外側面は、室内側カバー２３５に覆われている。
【００２３】
戸先框２４は、複層ガラス２６の端部を挟み込むガラス溝を形成するガラス溝部２４０と、ガラス溝部２４０の戸先側に位置する戸先部２４１と、を備える。
【００２４】
外障子４０について説明する。外障子４０は、上框４１、下框４２及び左右の縦框である召外框４３，戸先框４４により矩形に枠組みされた框体４５と、框体４５内に嵌め込まれて固定された面材としての複層ガラス４６と、を含んで構成される。外障子４０の框体４５の基本的な構成は、内障子２０の框体２５の基本的構成と同様である。
【００２５】
上框４１は、複層ガラス４６を挟み込むガラス溝部４１０と、室外側上レール１１２に係合する係合部４１１と、を備える。下框４２は、複層ガラス４６の端部を挟み込むガラス溝を形成するガラス溝部４２０と、室外側下レール１２２に係合する戸車４２２を保持する戸車保持部４２１と、を備える。
【００２６】
召外框４３は、複層ガラス４６を挟み込むガラス溝部４３０と、ガラス溝部４３０から見付方向の縦枠１４に突出する突出部４３１と、を備える。突出部４３１の室内側の見付面には、召外側煙返し部４４２及び気密材４４３が配置される。気密材４４３は、閉鎖位置の内障子２０のガラス溝部２３０に当接する。戸先框４４は、複層ガラス４６を挟み込むガラス溝部４４０と、ガラス溝部４４０の戸先側に位置する戸先部４４１と、備える。
【００２７】
次に、網戸５０について説明する。本実施形態の建具１の室内側には、建物に固定される額縁７０が配置されている。額縁７０は、枠体１０よりも室内側に配置され、額縁７０の見込面に網戸５０をスライド移動可能に保持する網戸保持枠６０が固定される。
【００２８】
網戸保持枠６０は、見込方向室内側に延出する召内框２３に網戸５０が干渉しない位置で額縁７０に固定される。網戸保持枠６０は、網戸保持上枠６１、網戸保持下枠６２、網戸保持縦枠６３，６４が矩形に枠組みされて構成される。網戸保持上枠６１及び網戸保持下枠６２は、レール状に形成されている。網戸５０は、網戸保持枠６０の内側で左右方向に移動可能に保持される。
【００２９】
網戸５０は、網戸上框５１、網戸下框５２及び左右の網戸縦框５３，網戸縦框５４により矩形に枠組みされた網戸框体５５と、網戸框体５５内に嵌め込まれて固定された網部５６と、を含んで構成される。網戸上框５１は網戸保持上枠６１に係合し、網戸下框５２は網戸保持下枠６２に係合する。また、網戸縦框５３の室外側の見付面には見込方向室外側に延びるモヘア５３１が設けられ、網戸縦框５４の室外側の見付面には見込方向室外側に延びるモヘア５４１が設けられる。
【００３０】
図３は、本実施形態の建具１が備える閉塞部材８０の拡大横断面図である。閉塞部材８０は、網戸５０と内障子２０の間に配置され、網戸５０と内障子２０の隙間を防ぐものである。閉塞部材８０は、全体として上下方向に延びる柱状（方立状）に形成される。
【００３１】
本実施形態の閉塞部材８０は、閉鎖位置の内障子２０の縦枠１４側で該内障子２０の召内框２３に対向する見込面を有する本体部８１と、本体部８１の見込方向室外側から見付方向の縦枠１３側に延びる延出片８２と、が一体的な部材によって構成される。図２に示すように、閉塞部材８０は、本体部８１と延出片８２を合わせた全体としては、平面視において略Ｌ字状となっている。
【００３２】
本体部８１は、内側が中空のホロー構造となっている。本体部８１の上部は上側Ｌ字プレート９１を介して額縁７０に固定され、本体部８１の下部は下側Ｌ字プレート９２を介して額縁７０に固定される。上側Ｌ字プレート９１は、上側の額縁７０にビス等の締結部材９５によって固定される面と、本体部８１の内側で締結部材９５によって固定される面と、を有する。下側Ｌ字プレート９２は、下側の額縁７０に締結部材９５によって固定される面と、本体部８１の内側で締結部材９５によって固定される面と、を有する。
【００３３】
本体部８１の室外側の見付面には、モヘア９０を嵌合する嵌合部９３が形成される。モヘア９０は、嵌合部９３によって見込方向室外側に向かって延出している。モヘア９０は、閉塞部材８０の略全域にわたっており、内障子２０と閉塞部材８０の間の隙間を塞いでいる。図３に示す状態では、モヘア９０の先端が内障子２０（複層ガラス２６）の室内側見付面２６ａに当接している状態が示される。
【００３４】
延出片８２は、見付方向の縦枠１４側に延びる先端が見込方向室外側になだらかに曲がる形状となっている。網戸５０の位置により、延出片８２の室内側見付面８２ａには網戸縦框５３のモヘア５３１又は網戸縦框５４のモヘア５４１が当接することになる。
【００３５】
延出片８２における室外側の見付面と本体部８１の縦枠１３側の見込面は、召内框２３の一部を収容する収容部８５を形成する。内障子２０が閉鎖位置にある状態で、召内框２３が収容部８５に収容された状態となる。この状態で室内側から見たときに、召内框２３の室内側の見付面２３ａの多くの領域が閉塞部材８０の延出片８２に隠された状態となる。
【００３６】
次に、内障子２０又は外障子４０を開いて網戸５０を用いたときの閉塞状態について説明する。
【００３７】
図４は、本実施形態の建具１の内障子２０が開いている状態を示す横断面図である。図４では、外障子４０は閉鎖位置にあり、内障子２０を開いたことによって開放された開口が縦枠１４側に位置する網戸５０によって閉鎖された状態である。
【００３８】
図４に示すように、縦枠１３側に移動した内障子２０の戸先框２４の端部に、閉塞部材８０のモヘア９０が曲がりながらも接触しており、内障子２０と閉塞部材８０の間の隙間が閉じられている。また、網戸縦框５３のモヘア５３１も、閉塞部材８０（延出片８２）の室内側見付面８２ａに接触しており、網戸５０と閉塞部材８０の隙間も閉じられた状態である。網戸５０と内障子２０の隙間が閉塞部材８０によって閉じられているので、虫が隙間から入ることもなく、網戸５０を快適に使用することができる。
【００３９】
図５は、本実施形態の建具１の内障子２０が開状態と閉状態の間の中間状態を示す横断面図である。図５では、内障子２０は閉鎖位置から少し縦枠１３側に移動した位置にあり、網戸５０が縦枠１４側に位置している。内障子２０の移動によって生じた隙間は、見込方向で対向する網戸５０に閉鎖されている。
【００４０】
図５に示すように、縦枠１４側に位置する内障子２０が縦枠１４側に移動しても、図２の状態と同様に、閉塞部材８０のモヘア９０が複層ガラス２６に接触する状態が維持される。内障子２０の移動中も、閉塞部材８０のモヘア９０が複層ガラス２６の接触は維持される。また、網戸縦框５３のモヘア５３１が、閉塞部材８０（延出片８２）の室内側見付面８２ａに接触しており、網戸５０と閉塞部材８０の隙間も閉じられている。
【００４１】
図６は、本実施形態の建具１の外障子４０が開いている状態を示す横断面図である。図６では、内障子２０は閉鎖位置にあり、外障子４０を開いたことによって開放された開口が縦枠１３側に位置する網戸５０によって閉鎖された状態である。
【００４２】
図６に示すように、縦枠１４側に位置する内障子２０の位置は図２の状態と変わらないため、閉塞部材８０のモヘア９０が複層ガラス２６に接触する状態が維持される。縦枠１３側に移動した網戸５０は、その網戸縦框５４のモヘア５４１が、閉塞部材８０（延出片８２）の室内側見付面８２ａに接触しており、網戸５０と閉塞部材８０の隙間も閉じられた状態である。この状態においても、虫が隙間から入ることもなく、網戸５０を快適に使用することができる。
【００４３】
また、図４〜図６に示すように、室内側から見たときに網戸５０が縦枠１３側に位置している場合は網戸縦框５４によって閉塞部材８０が隠れ、網戸５０が縦枠１４側に位置している場合は網戸縦框５３によって閉塞部材８０が隠れる構成となっている。従って、閉塞部材８０が室内側から見ても目立たない構成となっている。
【００４４】
上記実施形態によれば、以下のような効果を奏する。
本実施形態の建具１は、内障子２０の室内側でスライド可能に配置される網戸５０と、網戸５０と内障子２０の間に配置され、内障子２０の室内側見付面２６ａに向かって延出し、該内障子２０に当接して網戸５０と内障子２０の隙間を塞ぐモヘア（室外側当接部）９０）を有する閉塞部材８０と、網戸５０が有する網戸縦框５３，５４又は閉塞部材８０に配置され、閉塞部材８０と網戸縦框５３（又は網戸縦框５４）が見込方向で対向する状態で、網戸縦框５３（又は網戸縦框５４）と閉塞部材８０の隙間を塞ぐモヘア５３１（又はモヘア５３２）と、を備える。
【００４５】
これにより、高層階用等、強度が求められるため、内障子２０の召内框２３の見込方向の長さが大きくなり、それに伴って内障子２０と網戸５０の間隔も大きくなる構成であっても、閉塞部材８０によって内障子２０と網戸５０の隙間を塞ぐことができる。また、内障子２０が開状態、閉状態、中間状態の何れの状態であっても、閉塞部材８０のモヘア９０が内障子２０に接触しているので、網戸５０を使用したときの内障子２０と網戸５０の隙間が常に塞がれる建具を実現できる。
【００４６】
また、本実施形態の内障子２０は、面材としての複層ガラス２６及び複層ガラス２６の四周を囲む上框２１、下框２２、召内框２３及び戸先框２４を有し、閉塞部材８０は、内障子２０が閉鎖位置にある状態で、戸先側の反対側に位置する召内框２３の少なくとも一部を収容する収容部８５を有する。
【００４７】
これにより、閉塞部材８０と内障子２０の干渉を回避できるので、建具１全体として見込方向の長さを大きくすることなく閉塞部材８０を配置して内障子２０と使用時の網戸５０の隙間を塞ぐ構成を実現できる。
【００４８】
また、本実施形態のモヘア５３１は網戸縦框５３に固定され、モヘア５３２は網戸縦框５４に固定される。閉塞部材８０は、モヘア５３１，５３２の先端が接触可能な室内側見付面８２ａを有する。
【００４９】
これにより、内障子２０又は外障子４０を開いて網戸５０が使用位置にあるときだけ、網戸縦框５３のモヘア５３１又は網戸縦框５４のモヘア５３２が閉塞部材８０に接触し、隙間が塞がれる構成をシンプルな構造で実現できる。
【００５０】
以上、本発明の好ましい実施形態について説明したが、本発明は、上述の実施形態に制限されるものではなく、適宜変更が可能である。
【００５１】
上記実施形態では、引違い窓を本発明の建具１として説明したが、この構成に限定されない。例えば、室外側にＦＩＸ窓（固定された外障子）が配置され、室内側がスライド移動可能な引戸（内障子）が配置される構成の建具にも適用できる。
【符号の説明】
【００５２】
１  建具
１０  枠体
２０  内障子（障子）
２３  召内框（縦框）
５０  網戸
５３，５４  網戸縦框
８０  閉塞部材
８５  収容部
９０  モヘア（室外側当接部）
５３１，５３２  モヘア（室内側当接部）
【図１】
2019167801.tif 000003
【図２】
2019167801.tif 000004
【図３】
2019167801.tif 000005
【図４】
2019167801.tif 000006
【図５】
2019167801.tif 000007
【図６】
2019167801.tif 000008